(57)【特許請求の範囲】
【請求項１】
ボトム衣類であって、
ボトム本体部と、少なくとも二本のサポートライン部とを含み、
前記ボトム本体部は、臀部を覆う後部分と、前記後部分に向かい合う前部分とで構成され、
前記サポートライン部は、
クロッチ部で交差し、
前記ボトム本体部の前部分から後部分にわたって配置され、
前記前部分および前記後部分において、各上端部が大転子と同程度または前記大転子よりも高い位置で、各上端部の高さ位置が略同一となるように形成されていることを特徴とする、ボトム衣類。
【請求項２】
前記サポートライン部は、前記本体部の前部分および後部分の脇側上辺まで延在して配置されていることを特徴とする、請求項１に記載のボトム衣類。
【請求項３】
前記サポートライン部は、前記サポートラインの交差部分から離れるに従って、前記前部分および前記後部分の少なくとも一方において、前記サポートライン部の幅が大きくなるように形成されていることを特徴とする、請求項１または２に記載のボトム衣類。
【請求項４】
衣類がショーツであることを特徴とする、請求項１から３のいずれか一項に記載のボトム衣類。
【発明の詳細な説明】
【技術分野】
【０００１】
本発明は、ボトム衣類に関する。
【背景技術】
【０００２】
生理前から生理中の時期（以下、表現を簡単なものとするため、「月経周辺期」と表現する）には、腰のだるさ、倦怠感、むくみ、痛み等の体の不具合が生じ、通常期と同様の動きがしづらいという問題がある。これに対し、生理中のナプキンのずれや、経血のもれを防止するためのショーツが提案されている（特許文献１参照）。
【先行技術文献】
【特許文献】
【０００３】
【特許文献１】特開２００２−１７７８２号公報
【発明の概要】
【発明が解決しようとする課題】
【０００４】
月経周辺期の前記不具合は、血液停滞、血行不良が原因である。図１３に、生理前の骨盤周辺の状態を表す図を示す。図示のように、生理前には、黄体ホルモンの作用によって、骨盤周辺の筋肉が弛み、水分をため込む。そのため、骨盤周辺の領域Ｒがむくむ。一方、生理が始まると、子宮が収縮し始めると同時に、骨盤周辺の筋肉も収縮して筋肉が凝った状態になり、血流が悪くなる。このような骨盤周辺の筋肉の状態により、月経周辺期には、歩行時等に腰の中心が安定せず、動きのぶれが大きくなる傾向にある。これを通常時の動きに近づけるには、骨盤周辺の筋肉の動きをサポートする必要がある。しかし、従来の生理用ショーツは、経血のもれを防止するものであり、骨盤周辺の筋肉の動きをサポートして通常時の動きに近づけるというものではなかったため、月経周辺期の前記不具合を解消できなかった。また、従来の生理用ショーツは、生理中の着用を想定したものであり、生理前から着用して不具合を解消するものではなかった。
【０００５】
そこで、本発明は、前記月経周辺期の不具合を解消し、快適に過ごすことができるボトム衣類を提供する。
【課題を解決するための手段】
【０００６】
前記目的を達成するために、本発明のボトム衣類は、
ボトム衣類であって、
ボトム本体部と、少なくとも二本のサポートライン部とを含み、
前記ボトム本体部は、臀部を覆う後部分と、前記後部分に向かい合う前部分とで構成され、
前記サポートライン部は、前記ボトム本体部の着用状態における底部で交差して配置されていることを特徴とする。
【発明の効果】
【０００７】
本発明のボトム衣類は、サポートライン部が着用状態における底部で交差しており、この部分を支点として、筋肉の動きに追随して伸縮する。このように、本発明によれば、サポートライン部が骨盤周辺の筋肉の動きをサポートするので、月経周辺期の不具合を解消することができる。
【図面の簡単な説明】
【０００８】
【図１】図１は、本発明の第１の実施形態に係るショーツ１００を示す図である。図１（ａ）は、ショーツ１００の正面斜視図、図１（ｂ）は、ショーツ１００の背面斜視図、図１（ｃ）は、ショーツ１００を下から見た図である。図１（ｄ）〜（ｆ）は、サポートライン部のバリエーションを示す図である。図１（ｇ）は、ショーツ１００を側面方向から見た図である。
【図２】図２は、前記第１の実施形態に係るショーツ１００の変形例を示す図である。
【図３】図３は、前記第１の実施形態に係るショーツ１００の変形例を示す図である。
【図４】図４は、前記第１の実施形態に係るショーツ１００の変形例を示す図である。
【図５】図５は、本発明の第２の実施形態に係るショーツ２００を示す図である。図５（ａ）は、ショーツ２００の正面斜視図、図５（ｂ）は、ショーツ２００の背面斜視図、図５（ｃ）は、ショーツ２００を下から見た図である。
【図６】図６は、本発明の第３の実施形態に係るショーツ３００を示す図である。図６（ａ）は、ショーツ３００の正面斜視図、図６（ｂ）は、ショーツ３００の背面斜視図、図６（ｃ）は、ショーツ３００を下から見た図である。
【図７】図７は、本発明の第４の実施形態に係るショーツ４００を示す図である。図７（ａ）は、ショーツ４００の正面斜視図、図７（ｂ）は、ショーツ４００の背面斜視図、図７（ｃ）は、ショーツ４００を下から見た図である。
【図８】図８（ａ）（ｂ）は、着用評価における指標を示す図である。
【図９】図９は、着用評価における指標を示す図である。
【図１０】図１０は、女性の会陰部の模式図である。
【図１１】図１１は、人体の腰部付近を側面方向から見た骨格の模式図である。
【図１２】図１２は、人体の腰部付近を前方向から見た骨格の模式図に、ショーツ３００を当てはめた図である。
【図１３】図１３は、生理前の骨盤周辺の状態を表す図である。
【発明を実施するための形態】
【０００９】
本発明のボトム衣類について、例をあげて説明する。ただし、本発明は、以下の例に限定および制限されない。
【００１０】
（第１の実施形態）
図１に、本発明の第１の実施形態に係るショーツ１００を示す。図１（ａ）は、ショーツ１００の正面斜視図、図１（ｂ）は、ショーツ１００の背面斜視図、図１（ｃ）は、ショーツ１００を下から見た図である。本実施形態のショーツ１００は、前部分１０１Ａおよび後部分１０１Ｂを備えたボトム本体部（以下、「本体部」ともいう）１０１と、二本のサポートライン部１０２とを含むショーツである。また、本実施形態におけるショーツ１００は、クロッチ部１０３を有するが、本発明において、クロッチ部は必須の要素ではない。
【００１１】
図１（ｃ）に示すように、本実施形態において、二本のサポートライン部１０２は、クロッチ部１０３の交点Ｔで交差している。交点Ｔは、本体部１０１の着用状態における底部に位置する。そして、図１（ａ）（ｂ）に示すように、サポートライン部１０２は、本体部１０１の前部分１０１Ａから後部分１０１Ｂにわたって配置されている。サポートライン部１０２は、交点Ｔを支点として、体の動きに沿って伸縮する。
【００１２】
図１（ｇ）に、本実施形態に係るショーツ１００を側面方向から見た図を示す。本実施形態において、サポートライン部１０２は、前部分１０１Ａおよび後部分１０１Ｂをそれぞれ経由して、本体部１０１の脇側部分で連結し、環状を呈している。ただし、本発明はこれに限られず、サポートライン部は、本体部の脇側部分で連結していなくてもよい。例えば、前部分１０１Ａにおけるサポートライン部１０２の上側端部Ｍ、後部分１０１Ｂにおけるサポートライン部１０２の上側端部Ｎのいずれか一方もしくは両方が、図１（ａ）（ｂ）に示す位置よりも身体の中心側に配置されていてもよい。このように、サポートライン部は、着用感およびデザインに応じて、様々なバリエーションにすることができる。
【００１３】
サポートライン部１０２は、二本に限られず、例えば、計４本のサポートライン部が交差している等、二本以上あってもよい。具体的には、図１（ｄ）〜（ｆ）に示すようなサポートライン部の構成が考えられる。図１（ｄ）は、交点Ｔ周辺から離れるに従って、サポートライン部１０２の幅が次第に大きくなるように形成されている。図１（ｅ）は、左右それぞれにおいて、２本ずつのラインが互いに略並行に設けられ、クロッチ部１０３でそれぞれ交差しており、４つの交点Ｔが形成される。図１（ｆ）は、左右それぞれにおいて、２本ずつのラインが、クロッチ部１０３の交点Ｔで交差するように放射状に形成されている。
【００１４】
図１０は、女性の会陰部の模式図である。本実施形態において、サポートライン部１０２の交点Ｔは、着用時の会陰の中心Ｕに位置する（図１（ｅ）の態様においては、４つの交点Ｔが、会陰の中心Ｕを囲むように位置する）。これにより、サポートライン部１０２は、交点Ｔで会陰の中心Ｕを支えることができる。また、サポートライン部１０２が動きに沿って伸縮することにより、会陰筋の動きに対応し、会陰を含めた骨盤全体をスムーズに動かすことができるよう、促すことができる。なお、本実施形態では、交点Ｔの位置が会陰の中心Ｕに一致するように形成されている例を挙げているが、本発明は、これに限定されるものではない。例えば、商品の設計仕様等に応じて、交点Ｔの位置が会陰の中心Ｕから左右または前後方向にずれていても、少なくともクロッチ部１０３に交点Ｔが形成されていれば良い。
【００１５】
サポートライン部１０２は、伸縮性を有する素材を本体部１０１に取り付けて形成されている。サポートライン部１０２に使用する素材は、伸縮性を有する素材であれば特に制限されないが、例えば、ツーウェイパワーネット、チュールネット等の素材などがあげられる。なお、商品の仕様に応じて、難伸縮性または非伸縮性の素材を用いてサポートライン部１０２を形成してもよいが、本実施形態のように伸縮性を有する方が好適である。また、樹脂を本体部１０１に塗布してサポートライン部１０２を形成してもよい。さらには、本体部１０１の編み組織を部分的に変更することによってサポートライン部１０２を形成するようにしてもよい。その他、抜触加工によってサポートライン部１０２に相当する部分を本体部１０１の生地に形成するようにしてもよい。これらの方法によって、サポートライン部１０２にサポート力を付与することができる。ここで、サポート力とは、本体部１０１とサポートライン部１０２との間の相対的な伸縮特性の相違によって着用者に作用する力である。
【００１６】
サポートライン部１０２の幅は、特に制限されないが、交点Ｔ周辺のクロッチ部１０３において、０．５ｃｍ〜２．５ｃｍが好ましく、１．０ｃｍ〜２．０ｃｍが特に好ましい。また、サポートライン部１０２は、後部分１０１Ｂにおいて、ヒップの形をつぶさないように配置されていることが好ましい。
【００１７】
本体部１０１に使用する素材は、特に制限されないが、例えば、ベア天竺、丸編みなどの伸縮性を有する素材があげられる。また、生理前から着用するため、肌に直接あたるクロッチ部１０３に使用する素材は、肌触りのよい素材を使用することが、着用感の観点から好ましい。
【００１８】
本実施形態のショーツ１００によれば、サポートライン部１０２が、交点Ｔ周辺のゆるんだ会陰筋を下から包み込むように支え、かつ、交点Ｔを支点として筋肉の動きに沿って伸縮することにより、会陰を含めた骨盤全体の動きをサポートする。これにより、月経周辺期の腰周りの動きを安定させて通常期の動きに近づけることができ、月経周辺期の不具合を解消することができる。
【００１９】
図２〜図４に、前記第１の実施形態に係るショーツ１００の変形例を示す。図２は、クロッチ部１０３のみにサポートライン部１０２を有し、前部分および後部分にはサポートライン部を有さないショーツの図である。図３は、後部分１０１Ｂおよびクロッチ部１０３のみにサポートライン部１０２を有するショーツの図である。図４は、前部分１０１Ａおよびクロッチ部１０３のみにサポートライン部を有するショーツの図である。
【００２０】
このように、本発明は、クロッチ部１０３に交差したサポートライン部１０２を有していれば、交点Ｔにおいて、ゆるんだ会陰筋を支え、かつ、交点Ｔを支点として筋肉の動きに沿って伸縮することにより、会陰を含めた骨盤全体の動きをサポートする効果を得ることができる。ただし、ショーツ１００のように、前部分、後部分およびクロッチ部すべてにサポートライン部を有することにより、骨盤全体を体の前から後にかけて支えることができ、かつ、体の前と後とで支える力の均衡がとれるため、より高いサポート効果を得ることができ、好ましい。
【００２１】
なお、本実施形態において、サポートライン部１０２は、本体部１０１の肌側に設けられているため、破線で示して説明しているが、本発明はサポートライン部が本体部の肌側に設けられているものに限定されない。例えば、商品の仕様に応じて、本体部の編地の伸度（すなわち、伸び具合）を部分的に切り替えてサポートライン部を形成するものとしてもよいし、本体部の表側にサポートライン部を設けるものとしても良い。
【００２２】
（第２の実施形態）
図５に、本発明のボトム衣類の第２の実施形態に係るショーツ２００を示す。図５（ａ）は、正面斜視図、図５（ｂ）は、背面斜視図、図５（ｃ）は、下から見た図である。図５において、図１と同一部分には、同一符号を付している。
【００２３】
本実施形態において、サポートライン部２０２は、本体部１０１の前部分１０１Ａおよび後部分１０１Ｂにおいて、上端部が大転子の位置と同程度の高さの位置に配置されるように形成されている。その他は、第１の実施形態と同様の構成である。なお、本実施形態において、本体部１０１の上辺ＵＬ（上端側の開口部）の位置を、サポートライン部２０２の上端部の位置（すなわち、大転子と同程度の高さの位置）周辺まで下方に設定しても良い。この場合には、より浅穿き仕様のショーツにおいて、前記実施形態に係るショーツ２００と同様の効果を得ることができる。
【００２４】
図１１は、人体の腰部付近を側面方向から見た骨格の模式図である。図１１において、Ｘは大転子である。本実施形態において、前部分１０１Ａにおけるサポートライン部２０２の上端部は、それぞれ、大転子Ｘの位置と同程度の高さの位置に配置されている。また、後部分１０１Ｂにおけるサポートライン部２０２の上端部は、前部分１０１Ａにおけるサポートライン部２０２の上端部と同じ高さに存在している。
【００２５】
本実施形態では、サポートライン部２０２の上端部の位置が、前部分１０１Ａおよび後部分１０１Ｂにおいて同一である場合について説明したが、本発明はこれに限られない。サポートライン部２０２は、前部分１０１Ａおよび後部分１０１Ｂの少なくとも一方において、上端部が大転子と同程度または大転子よりも高い位置となるように配置されていれば、会陰筋を支え、かつ、骨盤全体の動きをサポートすることができる。ただし、本実施形態のように、前部分および後部分におけるサポートライン部の上端部の位置がそろっている方が、体の前と後とで支える力の均衡がとれるため、より高いサポート効果を得ることができ、好ましい。
【００２６】
なお、本実施形態では、前部分１０１Ａ、後部分１０１Ｂにおいて、サポートライン部２０２の上端部の位置は、大転子Ｘと同程度の位置に設定されている例を挙げているが、本発明は、これに限定されるものではない。例えば、商品の設計仕様等に応じて、前部分１０１Ａ、後部分１０１Ｂの少なくとも一方のサポートライン部２０２の上端部の位置が大転子Ｘよりも下方となるように形成しても良い。但し、大転子Ｘと同じ高さ位置までサポートライン部２０２を設ける方が、サポート力を充分得られるため好ましい。
【００２７】
このように、本発明において、サポートライン部は、本体部１０１の前部分１０１Ａおよび後部分１０１Ｂの脇側上辺まで延在していなくても、効果を得ることができる。したがって、本発明は、ローライズのショーツに適用することもでき、デザインのバリエーションを増やすことができる。
【００２８】
（第３の実施形態）
図６に、本発明のボトム衣類の第３の実施形態に係るショーツ３００を示す。図６（ａ）は、正面斜視図、図６（ｂ）は、背面斜視図、図６（ｃ）は、下から見た図である。図６において、図１と同一部分には、同一符号を付している。
【００２９】
本実施形態において、ショーツ３００は、着用状態における恥骨上方部および腰部に、保温部３０５が設けられている。その他は、第１の実施形態と同様である。
【００３０】
図１２は、人体の腰部付近を前方向から見た骨格の模式図に、ショーツ３００を当てはめた図である。図１２（ａ）において、Ｐは恥骨、図１２（ｂ）において、Ｑは子宮を示す。図示のとおり、保温部３０５は、恥骨Ｐ上方部（子宮Ｑが位置するあたり）に配置されている。
【００３１】
保温部３０５に使用する素材は、例えば、本体部１０１よりも保温率の高い素材であればよく、例えば、肌着で用いる天竺あみ、スムース、パイル地、起毛などを用いて、当て布をしてもよい。また、丸編による編み変えで部分的に組織を変えた素材等を使用してもよい。夏に着用するものであれば、保温部３０５は、蒸れない素材を使用することが好ましい。
【００３２】
一般に、腰部および恥骨上方部を温めると、生理痛が和らぐと言われている。本実施形態のショーツ３００によれば、月経周辺期の動きをサポートするのみならず、保温部で恥骨上方部および腰部を温めることができるため、生理痛を緩和することもできる。なお、本実施形態においては、恥骨上方部および腰部の両方に保温部が設けられているが、本発明はこれに限られず、どちらか一方のみでもよい。
【００３３】
（第４の実施形態）
図７に、本発明のボトム衣類の第４の実施形態に係るショーツ４００を示す。図７（ａ）は、正面斜視図、図７（ｂ）は、背面斜視図、図７（ｃ）は、下から見た図である。図７において、図１と同一部分には、同一符号を付している。
【００３４】
本実施形態において、ショーツ４００のサポートライン部４０２は、テープ状ではなく、円形の島が複数並ぶことによって形成されている。その他は、第１の実施形態と同様である。
【００３５】
このように、本発明において、サポートライン部は、テープ状でなくとも良いため、サポートライン部にデザインを施すことができる。また、上記実施形態では、サポートライン部は連続的に形成されたライン状、または環状を呈する例を挙げて説明しているが、本発明は、これに限定されるものではない。例えば、商品の仕様に応じて、サポートライン部が断続した複数の部分から構成されるようにしてもよい。
【００３６】
（着用客観評価）
［評価１］
図１（ａ）〜（ｃ）および（ｇ）に示すタイプの本発明の実施形態１に係るショーツ１００を作製し、着用評価を行った。前記ショーツ１００を、モニターが着用して歩行し、腰周りの動きを測定した。また、ショーツ１００の変形例である、クロッチ部のみにサポートライン部を有するショーツＡ（図２）についても、同様にして腰周りの動きを測定した。
【００３７】
図８に、本評価に用いた３つの指標を示す。図８（ａ）において、Ｙは上前腸骨棘、Ｚは大転子を示す。図８（ｂ）において、Ｓは仙骨を示し、矢印は、横方向のゆれを示す。
【００３８】
第１の指標として、ショーツを着用して歩行した際の、上前腸骨棘Ｙと大転子Ｚとを結ぶ線と、上前腸骨棘Ｙを通る水平線とで形成される角度θの大きさを計測した（図８（ａ））。ここでは、角度θが大きいほど、モニターが体を大きく動かせている（体をよく動かせているとも表現できる）ことを意味するため、角度θが大きいほど良好な結果として評価した。
【００３９】
第２の指標として、歩行時における仙骨Ｓの横方向のゆれを計測した（図８（ｂ））。前記横方向のゆれは、ゆれが少ないほど、体軸がぶれていないことを意味するため、ゆれが小さいほど良好な結果として評価した。
【００４０】
第３の指標として、前記第１の指標として用いる角度θのばらつきを計測した。ここでは、角度θのばらつきが少ないほど、歩行動作の挙動が安定していることを意味するため、ばらつきが少ないほど良好な結果として評価した。
【００４１】
この評価１では、サポートライン部を有さないショーツ（従来のショーツ（比較例））を着用して歩行した場合と、ショーツ１００を着用して歩行した場合とについて、前記第１〜第３の指標を計測して比較した。そして、ショーツ１００の方が、前記３つの指標のうち、少なくとも１つの指標について良好な結果であり、且つ、残りの指標についても前記従来のショーツと同等の数値を示しているものを「サポート効果あり」と評価した。また、ショーツＡについても、同様にして評価した。
【００４２】
その結果、本発明に係るショーツ１００では、６名中５名のモニターにおいて、「サポート効果あり」との評価が得られた。また、ショーツＡでは、６名中４名のモニターにおいて、「サポート効果あり」との評価が得られた。これにより、ショーツ１００、ショーツＡともにサポート効果があるが、より多くの着用者にとってサポート効果が得られるのは、ショーツ１００であることがわかった。
【００４３】
［評価２］
本発明の実施形態１に係るショーツ１００について、評価１と同様にして、着用評価を行った。なお、本評価では、評価１とは異なるモニターが着用した。また、ショーツ１００の変形例である、後部分およびクロッチ部のみにサポートライン部を有するショーツＢ（図３）、前部分およびクロッチ部のみにサポートライン部を有するショーツＣ（図４）、の２種類のショーツについても同様にして、着用評価を行った。
【００４４】
その結果、ショーツＢでは、６名中２名、ショーツＣでは、６名中３名において、「サポート効果あり」との評価が得られ、骨盤周辺の筋肉の動きをサポートするという本発明の効果が得られることがわかった。また、ショーツ１００では、６名中６名全員において、「サポート効果あり」との評価が得られた。これにより、ショーツＢ、ショーツＣ、ショーツ１００それぞれにおいてサポート効果は得られるが、クロッチ部、前部分および後部分すべてにサポートライン部を有するショーツ１００が、最も高いサポート効果を有することがわかった。
【００４５】
［評価３］
図１（ａ）〜（ｃ）および（ｇ）に示すタイプの本発明の実施形態１に係るショーツ１００、および図５に示すタイプの本発明の実施形態２に係るショーツ２００を作製し、着用評価を行った。前記ショーツ１００、前記ショーツ２００を、モニターが着用して歩行し、腰周りの動きを測定した。なお、本評価では、評価１および２とは異なるモニターが着用した。
【００４６】
図９に、本評価に用いた指標を示す。図９において、Ｙは、上前腸骨棘、Ｚは、大転子、Ｗは、上後腸骨棘を示す。本評価では、大転子、上前腸骨棘、上後腸骨棘を結ぶラインで形成される角度を角度γとし、１５歩分の角度γの最大値〜最小値の平均値を算出した。そして、サポートライン部を有さないショーツを着用して歩行した場合と比較して、前記平均値が大きくなっていれば、着用者が脚部を大きく動かせていることを示唆しているため「サポート効果あり」と評価した。
【００４７】
その結果、本発明に係るショーツ１００では、６名中４名のモニターにおいて、「サポート効果あり」との評価が得られた。また、本発明に係るショーツ２００でも、ショーツ１００同様、６名中４名のモニターにおいて、「サポート効果あり」との評価が得られた。この結果から、サポートライン部は、ショーツ１００のように脇側上辺まで存在している場合と、ショーツ２００のように上端部が大転子の位置と同程度の高さまでの場合とで、同等の効果があることがわかった。
【００４８】
（着用主観評価）
図６に示すタイプの本発明の実施形態３に係るショーツ３００を作製し、着用評価を行った。Ｍサイズのモニター６名に、ナプキンを装着して、ショーツ３００を着用してもらった。また、比較例として、同様のモニターに、サポートライン部を有さないショーツ（従来のショーツ）を、ナプキンを装着して着用してもらった。その結果、「生理前から生理中に着用するとしたら、どちらがよいか」という質問に対し、６名中６名が、「ショーツ３００がよい」と回答した。これにより、本発明に係るショーツが、快適なショーツであることが確認できた。
【００４９】
また、ショーツ３００について、モニターに、月経の予兆を感じた時から月経終了まで毎日着用してもらい、着用者のコメントを求めた。その結果、「いつもの生理の時よりも肩こり・筋肉痛が低減された。」（モニター１３名中６名）、「いつもの生理の時よりも下腹部痛が低減された」（モニター１６名中１１名）、「いつもの生理の時よりも腰痛が低減された」（モニター１４名中１０名）、「いつもの生理の時よりも疲れやすさが低減された」（モニター１６名中８名）、「いつもの生理の時よりも、動作のぎこちなさが低減された」（モニター９名中４名）、という回答が得られた。これにより、本発明によれば、月経周辺期を必要以上に意識することなく、活動的に過ごすことができることが確認できた。さらに、「生理中に着用するショーツとしての不具合もなく、むしろ、ナプキンのフィット感の良さは、通常の生理用ショーツ以上であった」との回答も得られた。
【００５０】
以上、実施の形態の具体例として、ショーツをあげて本発明を説明したが、本発明のボトム衣類は、これらの具体例で記載されたもののみに限定されるものではなく、種々の態様が可能である。例えば、上記の実施形態のようなファンデーション衣類以外にも、レオタード、水着、その他各種の衣類に適用できる。また、本発明は、生理用ショーツとしてのみではなく、例えば、骨盤底筋が弛んだ状態で起こる失禁防止用のボトム衣類としても、使用することができる。
【産業上の利用可能性】
【００５１】
本発明のボトム衣類は、種々の態様が可能である。例えば、上記の実施形態のようなファンデーション衣類以外にも、スポーツ衣類、アウターなど、各種の衣類に適用できる。
【符号の説明】
【００５２】
１００、２００、３００、４００  ボトム衣類（ショーツ）
１０１  （ボトム）本体部
１０１Ａ  前部分
１０１Ｂ  後部分
１０２、２０２、４０２  サポートライン部
１０３    クロッチ部
３０５    保温部
Ｍ、Ｎ  サポートライン部の上側端部
Ｔ  交点
Ｕ  会陰の中心
Ｘ、Ｚ  大転子
Ｙ  上前腸骨棘
Ｗ  上後腸骨棘
Ｓ  仙骨
Ｐ  恥骨
Ｑ  子宮
Ｒ  領域
ＵＬ  本体部の上辺
【図１】
0006035814.tif 000002
【図２】
0006035814.tif 000003
【図３】
0006035814.tif 000004
【図４】
0006035814.tif 000005
【図５】
0006035814.tif 000006
【図６】
0006035814.tif 000007
【図７】
0006035814.tif 000008
【図８】
0006035814.tif 000009
【図９】
0006035814.tif 000010
【図１０】
0006035814.tif 000011
【図１１】
0006035814.tif 000012
【図１２】
0006035814.tif 000013
【図１３】
0006035814.tif 000014